(57)【特許請求の範囲】
【請求項１】
上方が開放する内箱と外箱の間に通風路を形成し、該通風路内に冷却器及び送風機を配置し、この通風路の冷気吹出口から冷気吸込口に向けて吹き出される冷気で前記上方が開放する部分をエアーカーテンで覆って庫内を冷却するオープンショーケースにおいて、
前記冷気吹出口には、ショーケース後方上部に延在する外箱を構成する外ケースと内箱を構成する内ケース間より前方に向かって開口する開口部が形成され、該開口部は外ケースから前方に延びる上段整風板と内ケースから前方に延びる下段整風板と、両整風板の中間に配置された中間整風板で構成され、前記下段整風板の庫内側へ通じる開口孔を通して温度センサが庫内側から中間整風板と下段整風板の間の整風路内に突出し、該温度センサを保持したセンサ取付部材が前記内箱背面となる内ケースに庫内側から取り付けられていることを特徴とするオープンショーケース。
【発明の詳細な説明】
【０００１】
【発明の属する技術分野】
本発明は、スーパーマーケットやデパート、コンビニエンスストア等において、冷凍・冷蔵食品、生鮮食料品などを陳列または保存するためのオープンショーケースに係り、特に上方が開放されたオープンショーケースに関する。
【０００２】
【従来の技術】
図５は上方が開放された従来の平型の冷蔵オープンショーケースの断面図であり、図６（ａ）は冷気吹出口下面に温度センサを取付けた従来のオープンショーケースの部分断面図、（ｂ）は冷気吹出口の内部に温度センサを取付けた従来のオープンショーケースの部分断面図である。
【０００３】
図５において、このオープンショーケース０１は、箱形の断熱壁よりなる外ケース０２ａ〜０２ｃ内方に、内ケース０３ａ〜０３ｃを所要の間隔離間させて配設することで冷気の通風路を形成し、内ケース０３ａ〜０３ｃにより囲まれて上面が開放された商品収納部０４の中に青果物等の商品を陳列するようにしている。
【０００４】
内外のケース０２ａ〜０２ｃ、０３ａ〜０３ｃ間の底部に設けた送風機Ｆと冷凍機（図示略）より送出される冷気を、冷気吹出口０５より吐出させ、冷気吸込口０６より吸引して循環させることにより、商品収納部０４の上面開放面にエアカーテンを形成して商品収納部０４は保冷されるようになっている。
【０００５】
そして、上記のオープンショーケース０１には、庫内温度を一定に保持するために温度センサＴが取付けられている。そして陳列商品に左右されずに正確に測るために、この温度センサＴは整風板０７によって囲まれた整風路に配置して、冷気温度を直接測ることが好ましいことが知られている。
【０００６】
しかしながら、この種の温度センサＴを、冷気が直接当たる位置に取付けるには整風板０７が邪魔になり取付が困難であることから、やむを得ず冷気吹出口０５の近傍に取り付けられていた。
【０００７】
例えば、温度センサＴの従来の取付例としては、図５に示すように、庫内における冷気吹出口近傍の内ケース０３ｃの背壁や、図６の（ａ）に示すように、冷気吹出口０５の庫内側に面する整風板０８の下面、又は図６の（ｂ）に示すように冷気吹出口０５内部の整風板０８上に、温度センサＴがセンサ取付部材０１０に保持された状態でビス０１２を介して取り付けられていた。
【０００８】
【発明が解決しようとする課題】
ところが、図５や図６の（ａ）に示すように、温度センサＴを、庫内における冷気吹出口近傍の内ケース０３ｃの背壁あるいは整風板０８の下面に取り付けた場合は、商品収納部０４内に収納される青果物等の各種商品によって温度が変化することから、正確な温度を測定することができないばかりでなく、商品を出入れする際に温度センサＴに商品が当たり破損したり落下して測定機能が喪失する問題を有していた。
【０００９】
その上、図６の（ａ）に示すような温度センサＴの取付は、ビス０１２が下から上に向かってねじ込まなければならないので、取付作業に困難が伴った。
【００１０】
一方、図６の（ｂ）に示すように、温度センサＴを、冷気吹出口０５内部の整風板０８上に取り付けた場合は、整風板０８を取付ける前に取着しなければならず、一度取り付けた後はその取りはずしは分解を要し、しかも整風板０８を通して庫内側にビス０１２の先端が突出するため、商品の出入れ作業時に危険となる問題を有していた。
【００１１】
本発明は、このような状況に鑑みてなされたもので、温度センサの取付け作業が極めて容易で、陳列される商品の増減に関係なく正確な冷気温度を測定することができるオープンショーケースを提供することを目的とするものである。
【００１２】
【課題を解決するための手段】
上記課題を解決するために、本発明のオープンショーケースは、上方が開放する内箱と外箱の間に通風路を形成し、該通風路内に冷却器及び送風機を配置し、この通風路の冷気吹出口から冷気吸込口に向けて吹き出される冷気で前記上方が開放する部分をエアーカーテンで覆って庫内を冷却するオープンショーケースにおいて、
前記冷気吹出口には、ショーケース後方上部に延在する外箱を構成する外ケースと内箱を構成する内ケース間より前方に向かって開口する開口部が形成され、該開口部は外ケースから前方に延びる上段整風板と内ケースから前方に延びる下段整風板と、両整風板の中間に配置された中間整風板で構成され、前記下段整風板の庫内側へ通じる開口孔を通して温度センサが庫内側から中間整風板と下段整風板の間の整風路内に突出し、該温度センサを保持したセンサ取付部材が前記内箱背面となる内ケースに庫内側から取り付けられていることを特徴としている。
この特徴によれば、センサ取付部材を庫内側に取付けることで、その取付作業が容易であり、また、温度センサが冷気吹出口近傍の整風路に臨んで配置されているので、陳列される商品の増減に関係なく正確な冷気温度を測定することができ、庫内の適正な温度制御を行うことができる。更に温度センサを開口孔を介して容易に整風路内に臨ませることができ、またセンサ取付部材を内箱背面に庫内側から取り付けることができるので作業性がよい。
【００１５】
【発明の実施の形態】
以下、本発明の実施例を図面に基づいて説明する。図１は本発明の上方が開放するオープンショーケースを示す断面図、図２は冷気吹出口内部に温度センサを装着した状態を示す一部切り欠き斜視図、図３は温度センサを装着した冷気吹出口内部を示す部分断面図であり、図４はセンサ取付部材の他の実施形態を示す部分斜視図である。
【００１６】
図１には本発明の適用された上方が開放した冷蔵オープンショーケース１（以下ショーケースと称する）が示されている。このショーケース１は、箱形の断熱壁よりなる外箱を形成する外ケース４ａ〜４ｃの内方に内箱として形成される内ケース２ａ〜２ｃを、所定の間隔を設けて配設し、内ケース２ａ〜２ｃにより囲まれた内部空間を上面が開放された商品収納部３として、この中に青果物等が陳列されるようになっている。
【００１７】
そして、ショーケース１は、商品収納部３を構成する内ケース２ａ〜２ｃと、その外側に配設される外ケース４ａ〜４ｃとの間に冷気循環経路７ａ、７ｂ、７ｃが形設されている。
【００１８】
底部側の冷気循環経路７ａ内に配設されている送風機５を駆動させることにより、冷却器６を通過して冷却された冷気が、上部の冷気吹出口８より冷気吸込口１０に吸引されて図中点線で示される矢印方向に循環することにより、ショーケース１の上部開放面にエアーカーテンが形成されて、商品収納部３内の冷凍食品や生鮮食料品等が所定温度に保冷できるようになっている。
【００１９】
また、商品収納部３下方の各種商品が載置される内ケースの一部を構成するベース棚板２ｂの下部には、内方に向けて傾斜している底パネル１２ａと、前方に向けて緩く傾斜している底パネル１２ｂが設けられている。この底パネル１２ａ、１２ｂの谷部には、冷却器６の除霜時における解凍された水または堆積したゴミ類を排出する図示しない排水口が設けられている。
【００２０】
更に、冷気吹出口８は、図２に示すように、ショーケース１後方上部に左右方向に延設する外ケース４ｃと内ケース２ｃ間の通風路が前方に向かって開口し、この開口部は内外ケース２ｃ、４ｃの上縁から前方に延びる上下段の整風板８ｃ、８ｂと、この２つの整風板８ｃ、８ｂの中間に配置された中間整風板８ａにより構成されている。
【００２１】
そして、下段の整風板８ｂには、庫内側から冷気吹出口８近傍の整風路へ通じる最小の開口となる矩形の開口孔１４が形成され、温度センサ１５が冷気吹出口８の内部に配置されるように、この温度センサ１５を保持したセンサ取付部材１６のセンサ保持部１６ａが開口孔１４を通して中間整風板８ａと下段整風板８ｂ間の整風路内に臨み、センサ取付部材１６の取付部１６ｂが庫内側内ケース２ｃの背壁２ｃ′にビス２０を介して庫内側から固定される。
【００２２】
前記温度センサ１５は、円筒状に形成されて一端には電気的に測定できる温度測定部を有すると共に他端には電源に接続されるリード線が設けられており、この温度センサ１５により測定された温度は図示しない制御部に電気的な信号として送られ、制御部では送信された測定温度に基づき、商品収納部３内に収納された商品を保冷するために予め設定された最適な設定温度と比較演算することにより冷却器６が駆動制御されるようになっている。
【００２３】
センサ取付部材１６は、１枚の帯板状の部材により構成されており、一端に筒状の温度センサ１５の周囲を巻回保持するセンサ保持部１６ａを設けると共に、温度センサ１５を巻回して折り返して重ねられた２枚の帯板に、背壁２ｃ′に取付けるためのビス２０を挿通する挿通孔を穿設して取付部１６ｂが形成されている。
【００２４】
上記のように構成されたオープンショーケースによれば、商品収納部３内の冷凍食品や生鮮食料品等を所定温度に保冷するために、冷気循環経路７ｂ内の送風機５が駆動されると、図１に示すように、冷却器６を通過して冷却された冷気は、ショーケースにおける商品収納部３後方上部の冷気吹出口８より吹き出され、商品収納部３前面の内外ケース２ａ、４ａ前端上部の冷気吸込口１０を通して内部に吸引されて再び送風機５に導かれる。
【００２５】
冷気循環経路７ａ、７ｂ、７ｃを循環して冷気吹出口８より吐出される冷気は、冷気吹出口８内部の温度センサ１５により測定された温度と設定温度が比較演算し、制御部により冷却器６を適宜制御することで、商品収納部３に収納される青果物等の商品を常に適切な温度に保冷している。
【００２６】
そして、温度センサ１５は中間整風板８ａと下段整風板８ｂ間の冷気が通過する整風路内に配置されているので、陳列商品の出入れ時に影響されることなく冷気の正確な温度を測定することができ、庫内の適正な温度制御を行うことができる。
【００２７】
また、図３に示すように、センサ取付部材１６の取付部１６ｂが庫内側の内箱の背壁２ｃ′にビス２０を介して固定することで、温度センサ１５の取付け作業を容易に行うことができ、このビス２０は庫内側から取り付けているためビス先端が庫内に突出するようなことはない。
【００２８】
次に、本発明の他の実施形態につき図４を参照して説明する。図４は冷気吹出口内部に臨むように温度センサを配置したセンサ取付部材の他の実施形態を示す部分斜視図である。尚、上記実施形態に示される構成部材と同一部材には同一符号を付し、重複する説明を省略する。
【００２９】
図４に示す符号２２はセンサ取付部材を示しており、このセンサ取付部材２２は、上記実施形態と同じように、一端に温度センサ１５を巻回して折り返し、重ねられた折返し片をビス２０で締め付けて保持するセンサ保持部２２ａを設けると共に、折曲形成した他端側を折返して弾性変形可能なクリップ状に形成した取付部２２ｂが形成されている。
【００３０】
そして上記のように構成されたセンサ取付部材２２は、温度センサ１５を保持した状態でクリップ状の取付部２２ｂを冷気吹出口８の下段の整風板８ｂに前方から装着することで、温度センサ１５は冷気の吹き出し方向に直交するように取付けられる。
【００３１】
従って、本実施形態に係るセンサ取付部材２２によれば、取付部２２ｂがクリップ状に構成されて下段の整風板８ｂに着脱可能に装着されるようになっているので、センサ取付部材２２の取付け作業が容易となり、取付位置の変更に自由度があり、温度センサ１５のメンテナンスを容易に行うことができる。
【００３２】
【発明の効果】
本発明は以下の効果を奏する。
【００３３】
（ａ）請求項１項の発明によれば、センサ取付部材を庫内側に取付けることで、その取付作業が容易であり、また、温度センサが冷気吹出口近傍の整風路に臨んで配置されているので、陳列される商品の増減に関係なく正確な冷気温度を測定することができ、庫内の適正な温度制御を行うことができる。更に温度センサを開口孔を介して容易に整風路内に臨ませることができ、またセンサ取付部材を内箱背面に庫内側から取り付けることができるので作業性がよい。
【図面の簡単な説明】
【図１】本発明の上方が開放するオープンショーケースを示す断面図である。
【図２】冷気吹出口内部に温度センサを装着した状態を示す一部切り欠き斜視図である。
【図３】温度センサを装着した冷気吹出口内部を示す部分断面図である。
【図４】センサ取付部材の他の実施形態を示す部分斜視図である。
【図５】上方が開放された従来のオープンショーケースの断面図である。
【図６】（ａ）は冷気吹出口下面に温度センサを取付けた従来のオープンショーケースの部分断面図、（ｂ）は冷気吹出口の内部に温度センサを取付けた従来のオープンショーケースの部分断面図である。
【符号の説明】
１                    ショーケース（オープンショーケース）
２ａ                  ベース棚板（内ケース）
２ｂ、２ｃ            内ケース
２ｃ′                背壁
３                    商品収納部
４ａ〜４ｃ            外ケース
５                    送風機
６                    冷却器
７ａ〜７ｃ            冷気循環経路
８                    冷気吹出口
８ａ                  中間整風板
８ｂ                  下段整風板
８ｃ                  上段整風板
１０                  冷気吸込口
１２ａ、１２ｂ        底パネル
１４                  開口孔
１５                  温度センサ
１６                  センサ取付部材
１６ａ                センサ保持部
１６ｂ                取付部
２０                  ビス
２２                  センサ取付部材
２２ａ                センサ保持部
２２ｂ                取付部
【図１】
0004037675.tif 000002
【図２】
0004037675.tif 000003
【図３】
0004037675.tif 000004
【図４】
0004037675.tif 000005
【図５】
0004037675.tif 000006
【図６】
0004037675.tif 000007